(57)【要約】【課題】粘着テープ式ロールクリーナーの粘着テープに糸、毛髪等が巻着している場合に、糸、毛髪等を切断することで、汚れている粘着テープのみを容易に剥がせるようにする粘着テープ式ロールクリーナー用カッター具を提供する。【解決手段】カッター具６は、対向する支持面を有するホルダー７と、軸方向両端を支持面に夫々係着されてホルダー７に架設された支持軸８と、支持軸８に回動可能に設けられた一対の弾性車輪９と、一対の弾性車輪９間に配設した回転カッター１０とから構成してある。粘着テープ式ロールクリーナーに押圧することで変形する弾性車輪９から突出する回転カッター１０の刃部１０Ａにより粘着テープに巻着している糸、毛髪等を切断し、ロールクリーナーから汚れている上層の粘着テープを引き剥がす。【選択図】図３
2018089174.tif 000002
【特許請求の範囲】
【請求項１】
対向する支持面を有するホルダーと、軸方向両端を該支持面に夫々係着されて該ホルダーに架設された支持軸と、該支持軸に回動可能に設けられた一対の弾性車輪と、該一対の弾性車輪間に配設した円板からなり、粘着テープ式ロールクリーナーに押圧されて変形する該弾性車輪から突出する外周の刃部が、該粘着テープ式ロールクリーナーに巻着している糸、毛髪等を切断する回転カッターとから構成してなる粘着テープ式ロールクリーナー用カッター具。
【請求項２】
請求項１記載のカッター具は、前記粘着テープ式ロールクリーナーに着脱自在に取り付けてあることを特徴とするカッター具。
【請求項３】
前記ホルダーは、前記粘着テープ式ロールクリーナーを構成するアーム又は柄に着脱自在に取り付けてあることを特徴とする請求項１記載のカッター具。
【請求項４】
前記一対の弾性車輪及び／又は前記回転カッターは、前記支持軸に交換可能に設けてあることを特徴とする請求項１記載のカッター具。
【請求項５】
前記ホルダーは、前記支持軸の少なくとも一端が前記支持面から離間可能な構成からなり、前記一対の弾性車輪及び／又は前記回転カッターの交換が可能であることを特徴とする請求項１記載のカッター具。
【請求項６】
前記弾性車輪は、前記回転カッターの刃部が突出して前記粘着テープ式ロールクリーナーに付着している糸、毛髪等のみの切断を可能にする弾性を有していることを特徴とする請求項１記載のカッター具。
【発明の詳細な説明】
【技術分野】
【０００１】
本発明は、粘着テープ式ロールクリーナーに巻着した糸、毛髪等を切断することにより、汚れている粘着テープを容易に剥すことを可能にする粘着テープ式ロールクリーナー用カッター具に関する。
【背景技術】
【０００２】
室内の床やカーペットを清掃する道具として、粘着テープ式ロールクリーナーが知られている（特許文献１。以下、同文献記載の符合を括弧を用いて引用する）。このロールクリーナー（特許文献１では「粘着テープロール」との名称で記載されている）（１）は、円筒状の巻芯（２）の外周に粘着テープ（３）を多層に巻き重ねることにより形成してあり、これを床やカーペットの表面に沿って転動させることにより、床等の毛髪や塵埃等を粘着テープ（３）の粘着面（３ａ）に付着させて除去するものである。
【０００３】
このロールクリーナー（１）は、ある程度使用すると粘着テープ（３）の粘着面（３ａ）に毛髪等が付着して粘着力が低下することから、粘着テープ（３）を切れ目（４）に沿って一層分だけ剥がし、新たな粘着面（３ａ）を露出させて使用するものである。
【先行技術文献】
【特許文献】
【０００４】
【特許文献１】特開２０１４−２０４７９０号公報
【発明の概要】
【発明が解決しようとする課題】
【０００５】
上述した従来のロールクリーナー（１）では、使用中に糸、毛髪等が切れ目（４）に掛かるように粘着面（３ａ）に巻着している場合あり、この状態では粘着テープ（３）を剥がそうとしても、粘着面（３ａ）に付着した糸、毛髪等が引っ掛かって邪魔をしてうまく剥がすことができないという問題があった。
【０００６】
本発明は上述した従来技術の欠点に鑑みなされたものである。すなわち、糸、毛髪等がロールクリーナーの粘着テープに巻着している場合であっても、これらの糸、毛髪等を切断することで、使用中の粘着テープを容易に剥がせるようにする粘着テープ式ロールクリーナー用カッター具を提供することを目的とする。
【課題を解決するための手段】
【０００７】
上述した課題を解決するために構成した請求項１に係る本発明は、対向する支持面を有するホルダーと、軸方向両端を該支持面に夫々係着されて該ホルダーに架設された支持軸と、該支持軸に回動可能に設けられた一対の弾性車輪と、該一対の弾性車輪間に配設した円板からなり、粘着テープ式ロールクリーナーに押圧されて変形する該弾性車輪から突出する外周の刃部が、該粘着テープ式ロールクリーナーに巻着している糸、毛髪等を切断する回転カッターとから構成してなる。
そして、前記カッター具は、前記粘着テープ式ロールクリーナーに着脱自在に取り付けてあるとよい。
また、前記ホルダーは、前記粘着テープ式ロールクリーナーを構成するアーム又は柄に着脱自在に取り付けてあるとよい。
また、前記一対の弾性車輪及び／又は前記回転カッターは、前記支持軸に交換可能に設けるとよい。
また、前記ホルダーは、前記支持軸の少なくとも一端が前記支持面から離間可能な構成からなり、前記一対の弾性車輪及び／又は前記回転カッターの交換が可能であるとよい。
また、前記弾性車輪は、前記回転カッターの刃部が突出して前記粘着テープ式ロールクリーナーに付着している糸、毛髪等のみの切断を可能にする弾性を有しているとよい。
【発明の効果】
【０００８】
本発明は上記の如く構成したから、下記の諸効果を奏する。
（１）一対の弾性車輪の間に回転カッターを設けて構成したカッター具を粘着テープに押し当てることで弾性車輪が変形して回転カッターが突出し、押し当てたままカッター具を引くことで、粘着テープ式ロールクリーナーに巻着した糸、毛髪等を切断することにより、粘着テープを容易に剥すことができる。
また、カッター具の弾性車輪の変形量は、回転カッターの刃部の突出幅が粘着テープ一層分に相当するようにあらかじめ設定することで、カッター具の回転カッターが次層の粘着テープに達することなく、使用中の粘着テープに付着した糸、毛髪等のみを切断することができる。
【０００９】
（２）カッター具は、粘着テープ式ロールクリーナーに着脱自在に取り付けることにより、カッター具をロールクリーナーと一元的に保管ができ、取扱いが容易であるし紛失を防止できる。
【００１０】
（３）カッター具は、弾性車輪及び／又は回転カッターを交換可能な構成にしたから、特定の部品に問題が生じた場合に、該当部品のみを交換するだけで修理できるので、メインテナンス作業が容易であり、そのコストも抑制できる。
【図面の簡単な説明】
【００１１】
【図１】図１乃至図５は本発明の第１の実施の形態に係り、図１はカッター具が取り付けてある粘着テープ式ロールクリーナーの外観斜視図である。
【図２】カッター具と収納ケースの分解斜視図である。
【図３】カッター具の斜視図である。
【図４】収納ケースとロールクリーナーの取付構造を示す縦断面図である。
【図５】粘着テープロールにカッター具の回転カッターと弾性車輪を押し当てた状態を示す側面図である。
【図６】第２の実施の形態に係るカッター具をロールクリーナーに取り付ける構成を示す説明図である。
【図７】第３の実施の形態に係るカッター具をロールクリーナーに取り付ける構成を示す説明図である。
【発明を実施するための形態】
【００１２】
以下、本発明を好適な実施の形態に基づいて図面を参照しながら説明する。
最初に、図１を参照して、カッター具６が取り付けてある粘着テープ式ロールクリーナー１（以下、ロールクリーナー１と称する）について説明する。
【００１３】
ロールクリーナー１は、クリーナー本体２と、クリーナー本体２に回動自在に取り付けた従述する粘着テープロール３とで構成される。クリーナー本体２は、粘着テープロール３を保持する円柱状のロール取付部２Ａと、先端側が該ロール取付部２Ａを回動可能に軸支し、基端側が粘着テープロール３の軸線Ｘ１と直交する方向に伸びる断面円形のアーム２Ｂと、アーム２Ｂの基端に取り付けた略円柱状の柄２Ｃとから構成してある。
【００１４】
粘着テープロール３は、円筒状の紙製あるいは合成樹脂製の巻芯３Ａと、表面に粘着剤を塗布して粘着面３Ｂ１とする粘着テープ３Ｂとで構成し、粘着テープ３Ｂは巻芯３Ａの外周に多層に巻き重ねることにより形成してある。そして、粘着テープ３Ｂには、粘着力が低下した粘着テープ３Ｂを一層ずつ容易に剥がすことができるようにミシン目３Ｂ２が設けてある。
【００１５】
そして、粘着テープロール３は、クリーナー本体２のロール取付部２Ａに巻芯３Ａを挿嵌して着脱自在に取り付けてあるが、ロール取付部２Ａの外周に形成した軸線Ｘ１方向に伸びるリブ（図示せず）を巻芯３Ａの内面に係止することで、粘着テープロール３はその円周方向にロール取付部２Ａと一体的に回動するようにしてある。
【００１６】
上述の構成からなるロールクリーナー１は、使用者が柄２Ｃを持ち、粘着テープロール３を床・カーペット等に沿って転動させることにより、床等に付着した糸、毛髪等Ｍのごみを粘着テープ３Ｂ表面の粘着面３Ｂ１に付着させて除去し、粘着面３Ｂ１の粘着面が低下したら粘着テープ３Ｂの一層をミシン目３Ｂ２で剥き取って使用するものである。
【００１７】
次に、ロールクリーナー１に取り付けてあるカッター具６について、図２乃至図５を参照して説明する。
カッター具６は、粘着テープロール３に付着した糸、毛髪等Ｍの長さのあるごみを切断するためのものである。該カッター具６は、下方が開口したホルダー７と、該ホルダー７内に横架した支持軸８と、該支持軸８に支持された一対の弾性車輪９、９と、該弾性車輪９、９間に挟装した回転カッター１０とから構成してあり、全体のサイズは縦、横、高さが約３０〜４０ｍｍのものである。
【００１８】
前記ホルダー７は、下方が開口した合成樹脂製の筐体からなり、４面の側壁のうち対向する左、右側壁７Ａ、７Ｂの内面は支持面７Ａ１、７Ｂ１に、外面は掴み面になっており、左、右側壁７Ａ、７Ｂには対向して軸支持穴７Ａ２、７Ｂ２がそれぞれ形成してある。
８は該ホルダー７の左、右側壁７Ａ、７Ｂ間に架設した金属製又は合成樹脂製の支持軸を示す。該支持軸８は両軸端側８Ａ、８Ｂを軸支持穴７Ａ２、７Ｂ２に圧入してしまりばめの状態で設けてある。
【００１９】
前記一対の弾性車輪９、９は、前記支持軸８に支持されてホルダー７の下側開口から一部が突出した状態になっており、粘着テープロール３に手で押し付けることで変形する弾性を有するゴムや軟質合成樹脂材で成形してある。１０は支持軸８に挿嵌して該一対の弾性車輪９、９間に挟装することにより、弾性車輪９と一体に回転する回転カッターを示す。該回転カッター１０は弾性車輪９と同径或いは若干小径で、厚さが約０．２〜０．５ｍｍの金属製円板からなり、外周には糸、毛髪等Ｍを切断するための刃部１０Ａが形成してある。
【００２０】
１１は上述の構成からなるカッター具６を収納するための合成樹脂製の収納ケースを示す。１２は該収納ケース１１を構成するケース本体で、該ケース本体１２はホルダー７と略同形の筐体からなり、上方が開口して内部がホルダー７から突出する弾性車輪９と回転カッター１０を納める収納部１２Ａになり、ホルダー７を嵌脱可能に、かつ緊密に嵌合するために上端側に枠状の嵌合枠１２Ｂを突設して構成してある。１３は収納ケース１１をロールクリーナー１のアーム２Ｂに取り付けるために該ケース本体１２の下面に形成した逆Ｖ字状の嵌合溝部で、該嵌合溝部１３は径の異なるアーム２Ｂにも広く対応できるように逆Ｖ字状に形成してある。
１４は収納ケース１１をアーム２Ｂに締着するための結束バンドで、該結束バンド１４はケース本体１２に形成したバンド通し穴１２Ｃに挿通してアーム２Ｂと一体に結束することにより、収納ケース１１はアーム２Ｂに確実に取着した状態になっている。なお、結束バンド１４に代えて面ファスナーを用いる構成にしてもよい。
【００２１】
なお、ロールクリーナー１は複数のメーカーから様々な形のもの販売されているため、アーム２Ｂの直径は一様ではない。そこで、本実施の形態では、アーム２Ｂの嵌合溝部１３を断面三角形状の溝にしてあるから、アーム２Ｂの直径を問わず収納ケース１１をアーム２Ｂに位置決めでき、市販されている種々のロールクリーナー１にカッター具６を容易に取り付けることができる。
【００２２】
また、本実施の形態では、カッター具６はロールクリーナー１のアーム２Ｂに取り付けたが、柄２Ｃに取り付ける構成にしてもよい。
【００２３】
次に、図５を参照して、カッター具６の使用方法と作用を説明する。
上述したように、カッター具６は、ロールクリーナー１の粘着テープ３Ｂの粘着面３Ｂ１に付着した糸、毛髪等Ｍを切断するために使用するもので、使用者はカッター具６を手に持ち、弾性車輪９を粘着テープロール３の粘着テープ３Ｂに押し当てる。すると、弾性車輪９の接触部位が変形し、回転カッター１０の刃部１０Ａが弾性車輪９よりも突出した状態になる。この押し当てた状態のまま、カッター具６をロールクリーナー１の軸線Ｘ１方向に引くことで、粘着テープ３Ｂの粘着面３Ｂ１に付着した糸、毛髪等Ｍを切断することができる。
【００２４】
そして、弾性車輪９の弾性は、回転カッター１０の刃部１０Ａの突出幅が粘着テープ３Ｂ一層分に相当するようにあらかじめ設定してあるから、回転カッター１０が粘着テープ３Ｂの下層に達することなく、使用中の粘着テープ３Ｂに付着した糸、毛髪等Ｍのみを切断することができる。
【００２５】
回転カッター１０は、ゴムや軟質合成樹脂材で成形した一対の弾性車輪９、９が切断する糸、毛髪等Ｍをずれないように押さえつけるよう作用するので、より確実に糸、毛髪等Ｍを切断することが可能となる。
また、回転カッター１０を一対の弾性車輪９、９で挟装するよう構成したから、回転カッター１０が露出しづらく、カッター具６の安全性をより高めることができる。
【００２６】
なお、カッター具６は、支持軸８の端部を押圧してホルダー７から取り外すことで、弾性車輪９や回転カッター１０を交換することが可能である。また、ホルダー７は、左、右側壁７Ａ、７Ｂのいずれか一方を上方に回動可能な構成にし、支持軸８をホルダー７に架設し、また弾性車輪９や回転カッター１０の交換を行うことが出来るようにしてもよい。
【００２７】
また、本実施の形態では回転カッター１０と弾性車輪９とを同径にしたが、カッター具６を適宜の力で押し当てた際に回転カッター１０の刃部１０Ａが所望の長さ突出できる範囲で、回転カッター１０の直径を弾性車輪９の直径以下に設定してもよい。
【００２８】
以上、本発明の好適な実施の形態について説明したが、本発明はその特定の実施の形態に限定されるものではなく、本発明の技術思想の範囲内で種々の変形が可能であることはいうまでもない。
【００２９】
以下に、カッター具６をロールクリーナー１に取り付ける構成の他の実施の形態を図６及び図７に基づき説明する。
【００３０】
（第２の実施の形態）
上記第１の実施の形態においては、収納ケース１１をアーム２Ｂに取り付ける構成として結束バンド１４を用いたが、図６に示すように、収納ケース２１の底面２２にアーム２Ｂを挟持するクリップ２３を設けてもよい。収納ケース２１は第１の実施の形態の収納ケース１１と略同じ形態からなるが、底面２２は平面にしてある。この実施の形態によれば、ロールクリーナー１に対し、より簡易に収納ケース２１及びカッター具６の取り付け、取り外しができる。
【００３１】
（第３の実施の形態）
上記第１の実施の形態においては、カッター具６をアーム２Ｂに取り付ける構成として収納ケース１１を用いたが、収納ケース１１の代わりに、ホルダー３１を用いることもできる。ホルダー３１は、第１の実施の形態のホルダー７と同様に構成したホルダー本体３１Ａと、該ホルダー本体３１Ａの上面に固着した磁性材料からなる磁性着脱体３１Ｂとから構成してある。該磁性着脱体３１Ｂは上面３１Ｂ１に円弧状の窪み部３１Ｂ２が形成してあり、該窪み部３１Ｂ２にアーム２Ｂを着脱可能に磁着するようにしてある。この実施の形態によれば、ロールクリーナー１に対して、カッター具６をさらに容易に取り付け、取り外しができる。
【符号の説明】
【００３２】
１          粘着テープ式ロールクリーナー
２Ｂ        アーム
２Ｃ        柄
６          カッター具
７、３１    ホルダー
８          支持軸
９          弾性車輪
１０        回転カッター
１０Ａ      刃部
１１、２１  収納ケース
Ｍ          糸、毛髪等
【図１】
2018089174.tif 000003
【図２】
2018089174.tif 000004
【図３】
2018089174.tif 000005
【図４】
2018089174.tif 000006
【図５】
2018089174.tif 000007
【図６】
2018089174.tif 000008
【図７】
2018089174.tif 000009
【手続補正書】
【提出日】平成29年7月12日(2017.7.12)
【手続補正１】
【補正対象書類名】特許請求の範囲
【補正対象項目名】請求項１
【補正方法】変更
【補正の内容】
【請求項１】
対向する側壁の内面は軸支持面に、外面は掴み面になったホルダーと、軸方向両端を該軸支持面に夫々係着されて該ホルダーに架設された支持軸と、該支持軸に回動可能に設けられた一対の弾性車輪と、該一対の弾性車輪間に配設した円板からなり、粘着テープ式ロールクリーナーに押圧されて変形する該弾性車輪から突出する外周の刃部が、該粘着テープ式ロールクリーナーに巻着している糸、毛髪等を切断する回転カッターとから構成してなる粘着テープ式ロールクリーナー用カッター具。
【手続補正２】
【補正対象書類名】特許請求の範囲
【補正対象項目名】請求項５
【補正方法】変更
【補正の内容】
【請求項５】
前記ホルダーは、前記支持軸の少なくとも一端が前記軸支持面から離間可能な構成からなり、前記一対の弾性車輪及び／又は前記回転カッターの交換が可能であることを特徴とする請求項１記載のカッター具。
【手続補正３】
【補正対象書類名】明細書
【補正対象項目名】全文
【補正方法】変更
【補正の内容】
【発明の詳細な説明】
【技術分野】
【０００１】
本発明は、粘着テープ式ロールクリーナーに巻着した糸、毛髪等を切断することにより、汚れている粘着テープを容易に剥すことを可能にする粘着テープ式ロールクリーナー用カッター具に関する。
【背景技術】
【０００２】
室内の床やカーペットを清掃する道具として、粘着テープ式ロールクリーナーが知られている（特許文献１。以下、同文献記載の符合を括弧を用いて引用する）。このロールクリーナー（特許文献１では「粘着テープロール」との名称で記載されている）（１）は、円筒状の巻芯（２）の外周に粘着テープ（３）を多層に巻き重ねることにより形成してあり、これを床やカーペットの表面に沿って転動させることにより、床等の毛髪や塵埃等を粘着テープ（３）の粘着面（３ａ）に付着させて除去するものである。
【０００３】
このロールクリーナー（１）は、ある程度使用すると粘着テープ（３）の粘着面（３ａ）に毛髪等が付着して粘着力が低下することから、粘着テープ（３）を切れ目（４）に沿って一層分だけ剥がし、新たな粘着面（３ａ）を露出させて使用するものである。
【先行技術文献】
【特許文献】
【０００４】
【特許文献１】特開２０１４−２０４７９０号公報
【発明の概要】
【発明が解決しようとする課題】
【０００５】
上述した従来のロールクリーナー（１）では、使用中に糸、毛髪等が切れ目（４）に掛かるように粘着面（３ａ）に巻着している場合あり、この状態では粘着テープ（３）を剥がそうとしても、粘着面（３ａ）に付着した糸、毛髪等が引っ掛かって邪魔をしてうまく剥がすことができないという問題があった。
【０００６】
本発明は上述した従来技術の欠点に鑑みなされたものである。すなわち、糸、毛髪等がロールクリーナーの粘着テープに巻着している場合であっても、これらの糸、毛髪等を切断することで、使用中の粘着テープを容易に剥がせるようにする粘着テープ式ロールクリーナー用カッター具を提供することを目的とする。
【課題を解決するための手段】
【０００７】
（１）上述した課題を解決するために構成した請求項１に係る本発明は、対向する側壁の内面は軸支持面に、外面は掴み面になったホルダーと、軸方向両端を該軸支持面に夫々係着されて該ホルダーに架設された支持軸と、該支持軸に回動可能に設けられた一対の弾性車輪と、該一対の弾性車輪間に配設した円板からなり、粘着テープ式ロールクリーナーに押圧されて変形する該弾性車輪から突出する外周の刃部が、該粘着テープ式ロールクリーナーに巻着している糸、毛髪等を切断する回転カッターとから構成してなる。
（２）そして、前記カッター具は、前記粘着テープ式ロールクリーナーに着脱自在に取り付けてあるとよい。
（３）また、前記ホルダーは、前記粘着テープ式ロールクリーナーを構成するアーム又は柄に着脱自在に取り付けてあるとよい。
（４）また、前記一対の弾性車輪及び／又は前記回転カッターは、前記支持軸に交換可能に設けるとよい。
（５）また、前記ホルダーは、前記支持軸の少なくとも一端が前記軸支持面から離間可能な構成からなり、前記一対の弾性車輪及び／又は前記回転カッターの交換が可能であるとよい。
（６）また、前記弾性車輪は、前記回転カッターの刃部が突出して前記粘着テープ式ロールクリーナーに付着している糸、毛髪等のみの切断を可能にする弾性を有しているとよい。
【発明の効果】
【０００８】
本発明は上記の如く構成したから、下記の諸効果を奏する。
（１）一対の弾性車輪の間に回転カッターを設けて構成したカッター具を粘着テープに押し当てることで弾性車輪が変形して回転カッターが突出し、押し当てたままカッター具を引くことで、粘着テープ式ロールクリーナーに巻着した糸、毛髪等を切断することにより、粘着テープを容易に剥すことができる。
（２）ホルダーは、対向する壁面の内面を軸支持面に、外面を掴み面にしてあり、糸等を切断する際の回転カッターの上下動を支持軸を介して指先で感得することができるから、糸、毛髪等の切断時の加圧具合を微妙にコントロールできるので、糸、毛髪等のみを切断することができる。
（３）カッター具の弾性車輪の変形量は、回転カッターの刃部の突出幅が粘着テープ一層分に相当するようにあらかじめ設定することで、カッター具の回転カッターが次層の粘着テープに達することなく、使用中の粘着テープに付着した糸、毛髪等のみを切断することができる。
（４）カッター具は、粘着テープ式ロールクリーナーに着脱自在に取り付けることにより、カッター具をロールクリーナーと一元的に保管ができ、取扱いが容易であるし紛失を防止できる。
（５）カッター具は、弾性車輪及び／又は回転カッターを交換可能な構成にしたから、特定の部品に問題が生じた場合に、該当部品のみを交換するだけで修理できるので、メインテナンス作業が容易であり、そのコストも抑制できる。
【図面の簡単な説明】
【０００９】
【図１】図１乃至図５は本発明の第１の実施の形態に係り、図１はカッター具が取り付けてある粘着テープ式ロールクリーナーの外観斜視図である。
【図２】カッター具と収納ケースの分解斜視図である。
【図３】カッター具の斜視図である。
【図４】収納ケースとロールクリーナーの取付構造を示す縦断面図である。
【図５】粘着テープロールにカッター具の回転カッターと弾性車輪を押し当てた状態を示す側面図である。
【図６】第２の実施の形態に係るカッター具をロールクリーナーに取り付ける構成を示す説明図である。
【図７】第３の実施の形態に係るカッター具をロールクリーナーに取り付ける構成を示す説明図である。
【発明を実施するための形態】
【００１０】
以下、本発明を好適な実施の形態に基づいて図面を参照しながら説明する。
最初に、図１を参照して、カッター具６が取り付けてある粘着テープ式ロールクリーナー１（以下、ロールクリーナー１と称する）について説明する。
【００１１】
ロールクリーナー１は、クリーナー本体２と、クリーナー本体２に回動自在に取り付けた従述する粘着テープロール３とで構成される。クリーナー本体２は、粘着テープロール３を保持する円柱状のロール取付部２Ａと、先端側が該ロール取付部２Ａを回動可能に軸支し、基端側が粘着テープロール３の軸線Ｘ１と直交する方向に伸びる断面円形のアーム２Ｂと、アーム２Ｂの基端に取り付けた略円柱状の柄２Ｃとから構成してある。
【００１２】
粘着テープロール３は、円筒状の紙製あるいは合成樹脂製の巻芯３Ａと、表面に粘着剤を塗布して粘着面３Ｂ１とする粘着テープ３Ｂとで構成し、粘着テープ３Ｂは巻芯３Ａの外周に多層に巻き重ねることにより形成してある。そして、粘着テープ３Ｂには、粘着力が低下した粘着テープ３Ｂを一層ずつ容易に剥がすことができるようにミシン目３Ｂ２が設けてある。
【００１３】
そして、粘着テープロール３は、クリーナー本体２のロール取付部２Ａに巻芯３Ａを挿嵌して着脱自在に取り付けてあるが、ロール取付部２Ａの外周に形成した軸線Ｘ１方向に伸びるリブ（図示せず）を巻芯３Ａの内面に係止することで、粘着テープロール３はその円周方向にロール取付部２Ａと一体的に回動するようにしてある。
【００１４】
上述の構成からなるロールクリーナー１は、使用者が柄２Ｃを持ち、粘着テープロール３を床・カーペット等に沿って転動させることにより、床等に付着した糸、毛髪等Ｍのごみを粘着テープ３Ｂ表面の粘着面３Ｂ１に付着させて除去し、粘着面３Ｂ１の粘着面が低下したら粘着テープ３Ｂの一層をミシン目３Ｂ２で剥き取って使用するものである。
【００１５】
次に、ロールクリーナー１に取り付けてあるカッター具６について、図２乃至図５を参照して説明する。
カッター具６は、粘着テープロール３に付着した糸、毛髪等Ｍの長さのあるごみを切断するためのものである。該カッター具６は、下方が開口したホルダー７と、該ホルダー７内に横架した支持軸８と、該支持軸８に支持された一対の弾性車輪９、９と、該弾性車輪９、９間に挟装した回転カッター１０とから構成してあり、全体のサイズは縦、横、高さが約３０〜４０ｍｍのものである。
【００１６】
前記ホルダー７は、下方が開口した合成樹脂製の筐体からなり、４面の側壁のうち対向する左、右側壁７Ａ、７Ｂの内面は軸支持面７Ａ１、７Ｂ１に、外面は掴み面７Ａ２、７Ｂ２になっており、左、右側壁７Ａ、７Ｂには対向して軸支持穴７Ａ３、７Ｂ３がそれぞれ形成してある。
８は該ホルダー７の左、右側壁７Ａ、７Ｂ間に架設した金属製又は合成樹脂製の支持軸を示す。該支持軸８は両軸端側８Ａ、８Ｂを軸支持穴７Ａ３、７Ｂ３に圧入してしまりばめの状態で設けてある。
【００１７】
前記一対の弾性車輪９、９は、前記支持軸８に支持されてホルダー７の下側開口から一部が突出した状態になっており、粘着テープロール３に手で押し付けることで変形する弾性を有するゴムや軟質合成樹脂材で成形してある。１０は支持軸８に挿嵌して該一対の弾性車輪９、９間に挟装することにより、弾性車輪９と一体に回転する回転カッターを示す。該回転カッター１０は弾性車輪９と同径或いは若干小径で、厚さが約０．２〜０．５ｍｍの金属製円板からなり、外周には糸、毛髪等Ｍを切断するための刃部１０Ａが形成してある。
【００１８】
１１は上述の構成からなるカッター具６を収納するための合成樹脂製の収納ケースを示す。１２は該収納ケース１１を構成するケース本体で、該ケース本体１２はホルダー７と略同形の筐体からなり、上方が開口して内部がホルダー７から突出する弾性車輪９と回転カッター１０を納める収納部１２Ａになり、ホルダー７を嵌脱可能に、かつ緊密に嵌合するために上端側に枠状の嵌合枠１２Ｂを突設して構成してある。１３は収納ケース１１をロールクリーナー１のアーム２Ｂに取り付けるために該ケース本体１２の下面に形成した逆Ｖ字状の嵌合溝部で、該嵌合溝部１３は径の異なるアーム２Ｂにも広く対応できるように逆Ｖ字状に形成してある。
１４は収納ケース１１をアーム２Ｂに締着するための結束バンドで、該結束バンド１４はケース本体１２に形成したバンド通し穴１２Ｃに挿通してアーム２Ｂと一体に結束することにより、収納ケース１１はアーム２Ｂに確実に取着した状態になっている。なお、結束バンド１４に代えて面ファスナーを用いる構成にしてもよい。
【００１９】
なお、ロールクリーナー１は複数のメーカーから様々な形のもの販売されているため、アーム２Ｂの直径は一様ではない。そこで、本実施の形態では、アーム２Ｂの嵌合溝部１３を断面三角形状の溝にしてあるから、アーム２Ｂの直径を問わず収納ケース１１をアーム２Ｂに位置決めでき、市販されている種々のロールクリーナー１にカッター具６を容易に取り付けることができる。
【００２０】
また、本実施の形態では、カッター具６はロールクリーナー１のアーム２Ｂに取り付けたが、柄２Ｃに取り付ける構成にしてもよい。
【００２１】
次に、図５を参照して、カッター具６の使用方法と作用を説明する。
上述したように、カッター具６は、ロールクリーナー１の粘着テープ３Ｂの粘着面３Ｂ１に付着した糸、毛髪等Ｍを切断するために使用するもので、使用者はホルダー７の掴み面７Ａ２、７Ａ２を手に持ち、弾性車輪９を粘着テープロール３の粘着テープ３Ｂに押し当てる。すると、弾性車輪９の接触部位が変形し、回転カッター１０の刃部１０Ａが弾性車輪９よりも突出した状態になる。この押し当てた状態のまま、カッター具６をロールクリーナー１の軸線Ｘ１方向に引くことで、粘着テープ３Ｂの粘着面３Ｂ１に付着した糸、毛髪等Ｍを切断することができる。
【００２２】
そして、弾性車輪９の弾性は、回転カッター１０の刃部１０Ａの突出幅が粘着テープ３Ｂ一層分に相当するようにあらかじめ設定してあるから、回転カッター１０が粘着テープ３Ｂの下層に達することなく、使用中の粘着テープ３Ｂに付着した糸、毛髪等Ｍのみを切断することができる。
【００２３】
回転カッター１０は、ゴムや軟質合成樹脂材で成形した一対の弾性車輪９、９が切断する糸、毛髪等Ｍをずれないように押さえつけるよう作用するので、より確実に糸、毛髪等Ｍを切断することが可能となる。
また、回転カッター１０を一対の弾性車輪９、９で挟装するよう構成したから、回転カッター１０が露出しづらく、カッター具６の安全性をより高めることができる。
【００２４】
なお、カッター具６は、支持軸８の端部を押圧してホルダー７から取り外すことで、弾性車輪９や回転カッター１０を交換することが可能である。また、ホルダー７は、左、右側壁７Ａ、７Ｂのいずれか一方を上方に回動可能な構成にし、支持軸８をホルダー７に架設し、また弾性車輪９や回転カッター１０の交換を行うことが出来るようにしてもよい。
【００２５】
また、本実施の形態では回転カッター１０と弾性車輪９とを同径にしたが、カッター具６を適宜の力で押し当てた際に回転カッター１０の刃部１０Ａが所望の長さ突出できる範囲で、回転カッター１０の直径を弾性車輪９の直径以下に設定してもよい。
【００２６】
以上、本発明の好適な実施の形態について説明したが、本発明はその特定の実施の形態に限定されるものではなく、本発明の技術思想の範囲内で種々の変形が可能であることはいうまでもない。
【００２７】
以下に、カッター具６をロールクリーナー１に取り付ける構成の他の実施の形態を図６及び図７に基づき説明する。
【００２８】
（第２の実施の形態）
上記第１の実施の形態においては、収納ケース１１をアーム２Ｂに取り付ける構成として結束バンド１４を用いたが、図６に示すように、収納ケース２１の底面２２にアーム２Ｂを挟持するクリップ２３を設けてもよい。収納ケース２１は第１の実施の形態の収納ケース１１と略同じ形態からなるが、底面２２は平面にしてある。この実施の形態によれば、ロールクリーナー１に対し、より簡易に収納ケース２１及びカッター具６の取り付け、取り外しができる。
【００２９】
（第３の実施の形態）
上記第１の実施の形態においては、カッター具６をアーム２Ｂに取り付ける構成として収納ケース１１を用いたが、収納ケース１１の代わりに、ホルダー３１を用いることもできる。ホルダー３１は、第１の実施の形態のホルダー７と同様に構成したホルダー本体３１Ａと、該ホルダー本体３１Ａの上面に固着した磁性材料からなる磁性着脱体３１Ｂとから構成してある。該磁性着脱体３１Ｂは上面３１Ｂ１に円弧状の窪み部３１Ｂ２が形成してあり、該窪み部３１Ｂ２にアーム２Ｂを着脱可能に磁着するようにしてある。この実施の形態によれば、ロールクリーナー１に対して、カッター具６をさらに容易に取り付け、取り外しができる。
【符号の説明】
【００３０】
１            粘着テープ式ロールクリーナー
２Ｂ          アーム
２Ｃ          柄
６            カッター具
７、３１      ホルダー
７Ａ、７Ｂ 側壁
７Ａ１、７Ｂ１ 軸支持面
７Ａ２、７Ｂ２ 掴み面
８            支持軸
９            弾性車輪
１０          回転カッター
１０Ａ        刃部
１１、２１    収納ケース
Ｍ            糸、毛髪等
【手続補正４】
【補正対象書類名】図面
【補正対象項目名】図２
【補正方法】変更
【補正の内容】
【図２】
2018089174.tif 000010
【手続補正５】
【補正対象書類名】図面
【補正対象項目名】図３
【補正方法】変更
【補正の内容】
【図３】
2018089174.tif 000011
【手続補正６】
【補正対象書類名】図面
【補正対象項目名】図５
【補正方法】変更
【補正の内容】
【図５】
2018089174.tif 000012
【手続補正書】
【提出日】平成29年10月31日(2017.10.31)
【手続補正１】
【補正対象書類名】特許請求の範囲
【補正対象項目名】請求項３
【補正方法】変更
【補正の内容】
【請求項３】
請求項１記載のカッター具は、前記回転カッターの両側に配置する前記一対の弾性車輪を幅広にすることにより前記糸、毛髪等を切断時に押え込むものであることを特徴とする粘着テープ式ロールクリーナー用カッター具。
【手続補正２】
【補正対象書類名】明細書
【補正対象項目名】０００７
【補正方法】変更
【補正の内容】
【０００７】
（１）上述した課題を解決するために構成した請求項１に係る本発明は、対向する側壁の内面は軸支持面に、外面は掴み面になったホルダーと、軸方向両端を該軸支持面に夫々係着されて該ホルダーに架設された支持軸と、該支持軸に回動可能に設けられた一対の弾性車輪と、該一対の弾性車輪間に配設した円板からなり、粘着テープ式ロールクリーナーに押圧されて変形する該弾性車輪から突出する外周の刃部が、該粘着テープ式ロールクリーナーに巻着している糸、毛髪等を切断する回転カッターとから構成してなる。
（２）そして、前記カッター具は、前記粘着テープ式ロールクリーナーに着脱自在に取り付けてあるとよい。
（３）また、前記カッター具は、前記回転カッターの両側に配置する前記一対の弾性車輪を幅広にすることにより前記糸、毛髪等を切断時に押え込むものであるとよい。
（４）前記一対の弾性車輪及び／又は前記回転カッターは、前記支持軸に交換可能に設けるとよい。
（５）また、前記ホルダーは、前記支持軸の少なくとも一端が前記軸支持面から離間可能な構成からなり、前記一対の弾性車輪及び／又は前記回転カッターの交換が可能であるとよい。
（６）前記弾性車輪は、前記回転カッターの刃部が突出して前記粘着テープ式ロールクリーナーに付着している糸、毛髪等のみの切断を可能にする弾性を有しているとよい。
【手続補正３】
【補正対象書類名】明細書
【補正対象項目名】０００８
【補正方法】変更
【補正の内容】
【０００８】
本発明は上記の如く構成したから、下記の諸効果を奏する。
（１）一対の弾性車輪の間に回転カッターを設けて構成したカッター具を粘着テープに押し当てることで弾性車輪が変形して回転カッターが突出し、押し当てたままカッター具を引くことで、粘着テープ式ロールクリーナーに巻着した糸、毛髪等を切断することにより、粘着テープを容易に剥すことができる。
（２）ホルダーは、対向する壁面の内面を軸支持面に、外面を掴み面にしてあり、糸等を切断する際の回転カッターの上下動を支持軸を介して指先で感得することができるから、糸、毛髪等の切断時の加圧具合を微妙にコントロールできるので、糸、毛髪等のみを切断することができる。
（３）カッター具は、回転カッターの両側に配置する一対の弾性車輪を幅広にすることにより、糸、毛髪等を切断時に押え込むことができるから、粘着テープに強弱不揃いに付着している糸、毛髪等はずれることなく確実に切断することができる。
（４）カッター具の弾性車輪の変形量は、回転カッターの刃部の突出幅が粘着テープ一層分に相当するようにあらかじめ設定することで、カッター具の回転カッターが次層の粘着テープに達することなく、使用中の粘着テープに付着した糸、毛髪等のみを切断することができる。
（５）カッター具は、粘着テープ式ロールクリーナーに着脱自在に取り付けることにより、カッター具をロールクリーナーと一元的に保管ができ、取扱いが容易であるし紛失を防止できる。
（６）カッター具は、弾性車輪及び／又は回転カッターを交換可能な構成にしたから、特定の部品に問題が生じた場合に、該当部品のみを交換するだけで修理できるので、メインテナンス作業が容易であり、そのコストも抑制できる。
【手続補正４】
【補正対象書類名】明細書
【補正対象項目名】００１７
【補正方法】変更
【補正の内容】
【００１７】
前記一対の弾性車輪９、９は、前記支持軸８に支持されてホルダー７の下側開口から一部が突出した状態になっており、粘着テープロール３に手で押し付けることで変形する弾性を有するゴムや軟質合成樹脂材で成形してある。１０は支持軸８に挿嵌して該一対の弾性車輪９、９間に挟装することにより、弾性車輪９と一体に回転する回転カッターを示す。該回転カッター１０は弾性車輪９と同径或いは若干小径で、厚さが約０．２〜０．５ｍｍの金属製円板からなり、外周には糸、毛髪等Ｍを切断するための刃部１０Ａが形成してある。
かくして、個々の弾性車輪９は、ホルダー７の横幅３０〜４０ｍｍ及びその肉厚、回転カッター１０の０.２〜０.５ｍｍの厚さ、及び図２及び図３に示す回転カッター１０と弾性車輪９、９の幅の相違から把握できるように、約５〜１５ｍｍの幅のもので、一対の弾性車輪９、９は全体幅が１０〜３０ｍｍの幅広にしてある。
このように一対の弾性車輪９、９は幅広であるから、粘着テープ式ロールクリーナー１の湾曲した表面に沿うことで使用中の安定性が得られるし、回転カッター１０が粘着テープに必要以上に切り込むのを抑制できる。
【手続補正書】
【提出日】平成29年12月5日(2017.12.5)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
対向する側壁の内面は軸支持面に、外面は掴み面になったホルダーと、軸方向両端を該軸支持面に夫々係着されて該ホルダーに架設された支持軸と、該支持軸に回動可能に設けられた一対の弾性車輪と、該一対の弾性車輪間に配設した円板からなり、粘着テープ式ロールクリーナーに押圧されて変形する該弾性車輪から突出する外周の刃部が、該粘着テープ式ロールクリーナーに巻着している糸、毛髪等を切断する回転カッターとから構成してなる粘着テープ式ロールクリーナー用カッター具。
【請求項２】
請求項１記載のカッター具は、前記粘着テープ式ロールクリーナーに着脱自在に取り付けてあることを特徴とするカッター具。
【請求項３】
請求項１記載のカッター具は、前記回転カッターの両側に配置する前記一対の弾性車輪を幅広にすることにより前記糸、毛髪等を切断時に押え込むものであることを特徴とする粘着テープ式ロールクリーナー用カッター具。
【請求項４】
前記一対の弾性車輪及び／又は前記回転カッターは、前記支持軸に交換可能に設けてあることを特徴とする請求項１記載のカッター具。
【請求項５】
前記ホルダーは、前記支持軸の少なくとも一端が前記軸支持面から離間可能な構成からなり、前記一対の弾性車輪及び／又は前記回転カッターの交換が可能であることを特徴とする請求項１記載のカッター具。
【請求項６】
前記弾性車輪は、前記回転カッターの刃部が突出して前記粘着テープ式ロールクリーナーに付着している糸、毛髪等のみの切断を可能にする弾性を有していることを特徴とする請求項１記載のカッター具。